(57)【要約】    【課題】  従来、刃物陳列用のケースは刃物を取り出してユーザーが手に取って吟味させるように、易開封性を重視した設計がなされており、刃物は人を殺傷するための凶器にも成るものであるが、野放しの状態であり、緊急にこれらの事件を少しでも未然に回避する対策に迫られている。    【解決手段】  本発明は、刃物を収納固定する内装ケースと、内装ケースを収納する透明合成樹脂で一体に形成された外装ケース１において、外装ケースの表面２と両側の側面３と裏面４とを接続させ開口部Ａを備えた筒状に形成し、開口部には裏面フラップ４ａと表面フラップ２ａとを延設し、裏面フラップ４ａは板状に延設し、表面フラップ２ａは内側折曲線２ｂを介して蓋フラップ２ｃを延設し、蓋フラップに外側折曲線２ｄを介して溶着用フラップ２ｅを延設し、溶着用フラップと裏面フラップとを溶着又は接着させた。【選択図】  図１
2006223438.tif 000002
【特許請求の範囲】
【請求項１】
包丁のような鋭利な刃物を収納固定する紙又は合成樹脂でトレー状に形成された内装ケースと、該内装ケースを収納する透明合成樹脂で一体に形成された外装ケースにおいて、前記外装ケースの表面と両側の側面と裏面とを接続させ両端に夫々開口部を備えた筒状に形成し、前記夫々の開口部には裏面から裏面フラップと両側の側面から夫々の側面フラップと表面から表面フラップとを夫々延設し、前記夫々の裏面フラップは板状に延設すると共に片方の裏面フラップには陳列用の吊り穴を穿設し、前記夫々の側面フラップは内側に折り曲げる内側折曲線を介設して短板状に延設し、前記夫々の表面フラップは内側に折り曲げる内側折曲線を介して開口部を閉蓋する蓋フラップを延設し、該夫々の蓋フラップに外側に折り曲げる外側折曲線を介して溶着用フラップを延設し、該夫々の溶着用フラップと夫々の裏面フラップとを夫々熱的手段又は化学的手段を用いて溶着又は接着させると共に開封時の切断部を備えたことを特徴とする刃物陳列用外装ケース。
【発明の詳細な説明】
【技術分野】
【０００１】
本発明は包丁のような鋭利な刃物を収納する刃物陳列用外装ケースに関するものであり、更に詳細には、収納された刃物は収納ケースの外側から見ることができると共に陳列用に吊すことができ、且つ、陳列場で容易に刃物を取り出せないようにした刃物陳列用外装ケースに関するものである。
【背景技術】
【０００２】
従来、デパート、スーパーマーケット、商店等の店頭で販売の目的で陳列している刃物陳列用のケースは刃物を取り出してユーザーが手に取って吟味させるように、易開封性を重視した設計がなされており、図４に図示する如く、開口部を閉蓋するためのフラップＦの先端に内側に差し込む様に差し込みフラップＦａを延設して、差し込みフラップＦａを内側に差し込んで閉蓋して開封が容易にできるようにしており、刃物は元々使用方法によっては人を殺傷するための凶器にも成るものであるが、野放しの状態であり、現に痛ましい事件も頻発しており、緊急にこれらの事件を少しでも未然に回避する対策に迫られている。
【０００３】
例えば、先に開示された、筒状のカバー７とその内部に嵌め込まれる収納函１とからなり、同カバー７を収納函１に対しスライド可能にし、収納函１内には包丁等の刀身部１１ｂが載せられる刀身載置台２と、包丁等の柄部１１ａが嵌め込まれる柄位置決め凹所３とを形成した包丁等の収納ケースにおいて、前記柄位置決め凹所３には柄部１１ａの一側を支える支持突部４を形成し、前記刀身載置台２の前端側にはストッパ突部６，１ａを配設し、前記カバー７の内面にはこれら両突部４と６，１ａ間でスライドできるように両突部４と６，１ａに係合する係止突部８を突設したもの（特許文献１参照）や、包丁の刃身を被覆可能な側板が一対、包丁の刃身の厚みに対応する距離を隔てて連結され、少なくとも一方の側板に外部に開口させた刃身露出口が設けられ、各側板の長手方向の一端に刃身抜出防止用小孔が設けられ、この小孔に止具が装着されてなるものであり、包丁の前方から包丁ケースを挿入させ、小孔に止具を装着させることにより、止具が包丁の把手側の刃身の周縁に当接し、包丁ケースが刃身に確実に固定される。購入者は包丁の刃身を、側板の刃身露出口から、手で触れたり、目で見たりすることができる。また、止具を施錠可能な部材とすることにより、犯罪に使用されることを防止できるもの（特許文献２参照）や、介護用果物ナイフ１は、刃部１０と柄部２０とからなる。ステンレス鋼や硬質セラミックを材質とする刃部１０の刃先１３は被覆部１４で覆われている。前記被覆部１４が構成された刃先１３は丸みのある形状とされ、被覆部１４はプラスチック又は硬質ゴムで構成されている。被覆部１４はネジ、ピン、接着により固定され、或いはプラスチックコーティングにより固定される。刃先１３が丸みのある形状で且つプラスチック又は硬質ゴムの被覆部１４で被われているので、安全性が高い。介護用果物ナイフ１は、その刃部１０が刃部ケース３０に収納されるようにすることで、収納された刃部１０は刃部ケース３０から抜けないようになされているもの（特許文献３参照）等が開示されている。
【特許文献１】実開昭５９−１６５３６８号公報
【特許文献２】実開平６−３８８６４号公報
【特許文献３】登録実用新案３１０２９８３号公報
【発明の開示】
【発明が解決しようとする課題】
【０００４】
然し乍ら、筒状のカバー７とその内部に嵌め込まれる収納函１とからなり、同カバー７を収納函１に対しスライド可能にし、収納函１内には包丁等の刀身部１１ｂが載せられる刀身載置台２と、包丁等の柄部１１ａが嵌め込まれる柄位置決め凹所３とを形成した包丁等の収納ケースにおいて、前記柄位置決め凹所３には柄部１１ａの一側を支える支持突部４を形成し、前記刀身載置台２の前端側にはストッパ突部６，１ａを配設し、前記カバー７の内面にはこれら両突部４と６，１ａ間でスライドできるように両突部４と６，１ａに係合する係止突部８を突設したものでは、現在汎用されているものと同様なスライド式の包丁陳列用のケースであり、陳列場で誰でもが容易に包丁を取り出して手に取って見れるものである。
【０００５】
更に、包丁の刃身を被覆可能な側板が一対、包丁の刃身の厚みに対応する距離を隔てて連結され、少なくとも一方の側板に外部に開口させた刃身露出口が設けられ、各側板の長手方向の一端に刃身抜出防止用小孔が設けられ、この小孔に止具が装着されてなるものであり、包丁の前方から包丁ケースを挿入させ、小孔に止具を装着させることにより、止具が包丁の把手側の刃身の周縁に当接し、包丁ケースが刃身に確実に固定される。購入者は包丁の刃身を、側板の刃身露出口から、手で触れたり、目で見たりすることができる。また、止具を施錠可能な部材とすることにより、犯罪に使用されることを防止できるものでは、防犯上の対策には成るものの、肝心の刃先部を覆うようにケースが形成されているもので、ユーザーは切れ味を感じるのには刃先部を見て決定しようとするもので、例え、透明部材で形成されていても光の屈折により、見掛けと本物に差が生じ、また、施錠のための錠前の開閉を必要とし、陳列用としては不向きなものである。
【０００６】
更には、介護用果物ナイフ１は、刃部１０と柄部２０とからなる。ステンレス鋼や硬質セラミックを材質とする刃部１０の刃先１３は被覆部１４で覆われている。前記被覆部１４が構成された刃先１３は丸みのある形状とされ、被覆部１４はプラスチック又は硬質ゴムで構成されている。被覆部１４はネジ、ピン、接着により固定され、或いはプラスチックコーティングにより固定される。刃先１３が丸みのある形状で且つプラスチック又は硬質ゴムの被覆部１４で被われているので、安全性が高い。介護用果物ナイフ１は、その刃部１０が刃部ケース３０に収納されるようにすることで、収納された刃部１０は刃部ケース３０から抜けないようになされているものでは、先端の刃先１３を丸みのある形状として、刃先１３を被覆部１４で被われており、防犯上の対策には良いものであるが、実際に使用される包丁等の刃物は先端は鋭利なものでないと調理等をすることができず、一般に使用する刃物を陳列するものとしては不向きなものである。
【課題を解決するための手段】
【０００７】
本発明の刃物陳列用外装ケースは、前述の課題に鑑み、鋭意研鑽の結果、包丁のような鋭利な刃物を収納固定するトレー状に形成された内装ケースと、内装ケースを収納する透明合成樹脂で一体に形成された外装ケースにおいて、外装ケースの表面と両側の側面と裏面とを接続させ両端に夫々開口部を備えた筒状に形成し、開口部には裏面から裏面フラップと両側の側面から夫々の側面フラップと表面から表面フラップとを延設し、裏面フラップは板状に延設すると共に片方の裏面フラップには陳列用の吊り穴を穿設し、側面フラップは内側折曲線を介設して短板状に延設し、表面フラップは内側折曲線を介して開口部を閉蓋する蓋フラップを延設し、蓋フラップに外側折曲線を介して溶着用フラップを延設し、溶着用フラップと裏面フラップとを熱的手段又は化学的手段を用いて溶着又は接着させると共に切断部を備えたことを特徴とするものである。
【発明の効果】
【０００８】
本発明の刃物陳列用外装ケースは、刃物陳列用のトレー状の内装ケースを収納する透明合成樹脂で形成された外装ケースの表面フラップに蓋フラップを延設し、蓋フラップに外側折曲線を介して溶着用フラップを延設して、溶着用フラップを外側に折曲させて裏面フラップの基端辺と溶着又は接着させたことによって、包丁等を購入したい一般のユーザーは透明合成樹脂の外装ケースを透して、内装ケースに固定収納された包丁等の刃物を吟味でき、仮に犯罪者が包丁等を取り出そうとしても開口部が強固に溶着又は接着されているので、簡単には取り出せないものであり、現状の流通している外装ケースのコストを殆ど上げることなく、防犯上顕著な効果を有するもので極めて画期的な発明である。
【発明を実施するための最良の形態】
【０００９】
本発明は包丁のような鋭利な刃物を収納する刃物陳列用外装ケースに関するものであり、更に詳細には、収納された刃物は収納ケースの外側から見ることができると共に陳列用に吊すことができ、且つ、陳列場で容易に刃物を取り出せないようにした刃物陳列用外装ケースに関するものであり、包丁のような鋭利な刃物を収納固定する紙又は合成樹脂でトレー状に形成された内装ケースと、該内装ケースを収納する透明合成樹脂で一体に形成された外装ケース１において、前記外装ケース１の表面２と両側の側面３と裏面４とを接続させ両端に夫々開口部Ａを備えた筒状に形成し、前記夫々の開口部Ａには裏面４から裏面フラップ４ａと両側の側面３から夫々の側面フラップ３ａと表面２から表面フラップ２ａとを夫々延設し、前記夫々の裏面フラップ４ａは板状に延設すると共に片方の裏面フラップ４ａには陳列用の吊り穴４ｂを穿設し、前記夫々の側面フラップ３ａは内側に折り曲げる内側折曲線３ｂを介設して短板状に延設し、前記夫々の表面フラップ２ａは内側に折り曲げる内側折曲線２ｂを介して開口部Ａを閉蓋する蓋フラップ２ｃを延設し、該夫々の蓋フラップ２ｃに外側に折り曲げる外側折曲線２ｄを介して溶着用フラップ２ｅを延設し、該夫々の溶着用フラップ２ｅと夫々の裏面フラップ４ａとを夫々熱的手段又は化学的手段を用いて溶着又は接着させると共に開封時の切断部を備えたことを特徴とするものである。
【実施例】
【００１０】
以下、本発明の刃物陳列用外装ケースの実施例の図面を用いて詳細に説明すと、図１は本発明の刃物陳列用外装ケースの実施例の閉蓋状態の斜視図であり、図２は本発明の刃物陳列用外装ケースの実施例の開口状態の側面図であり、図３は本発明の刃物陳列用外装ケースの実施例の閉蓋状態の側面図であり、図４は従来の刃物陳列用外装ケースの閉蓋状態の側面図である。
【００１１】
即ち、本発明の刃物陳列用外装ケースに収納されて陳列販売される刃物（図示しない）とは、包丁のような鋭利な刃先を有した各種包丁、各種ナイフ、鋏であり、一般の家庭においても必需品であり、誰でもが容易に入手できるものであるが、使用方法によっては凶器にも成る危険なものである。
【００１２】
そして、内装ケース（図示しない）は紙又は合成樹脂で上面を開口させた細長い矩形のトレー状に形成されており、刃物を安定させて収納するための凹部や立設リブ等を折り曲げて組み立てたものや、ブリスタパックに形成したものであり、内装ケースに直接、又は、台紙を挿入させて刃物の商品説明や取扱説明を印刷しているものである。
【００１３】
次に、外装ケース１は内装ケースを収納するもので、一枚の透明合成樹脂で形成されており、表面２と両側の側面３と裏面４とを接続させ両端に夫々開口部Ａを備えた断面矩形状の筒状に形成したものである。
【００１４】
次いで、両端の開口部Ａには外装ケース１の裏面４からは裏面フラップ４ａと、両側の側面３からは夫々側面フラップ３ａと、表面２からは表面フラップ２ａとを延設させているものである。
【００１５】
更に、裏面フラップ４ａは外装ケース１の裏面４から板状に延設しているもので、陳列の時に上方に位置させる片方の裏面フラップ４ａは若干長くして陳列用の吊り穴４ｂを穿設しているもので、吊り穴４ｂは陳列場に設けられた陳列用棒を挿通させるものである。
【００１６】
更には、側面フラップ３ａは外装ケース１の両側の側面３から夫々短板状に延設しいるもので、基端辺に内側に折り曲げるための内側折曲線３ｂを介設しているものである。
【００１７】
次いで、表面フラップ２ａは外装ケース１の表面２から延設しているもので、基端辺に内側に折り曲げる内側折曲線２ｂを設け、内側折曲線２ｂを介して開口部Ａを閉蓋するための蓋フラップ２ｃを延設しており、蓋フラップ２ｃの先端辺には外側に折り曲げるための外側折曲線２ｄを設け、外側折曲線２ｄを介して溶着用フラップ２ｅを延設しているものである。
【００１８】
そして、開口部Ａを閉蓋するのは先ず両側の側面フラップ３ａの内側折曲線３ｂを折り曲げて、その上から表面フラップ２ａの内側折曲線２ｂを折り曲げて蓋フラップ２ｃで開口部Ａを閉蓋し、外側折曲線２ｄを折り曲げて、溶着用フラップ２ｅと裏面フラップ４ａとを重合させて、ホットメルト、接着剤等の熱的手段又は化学的手段を用いて溶着又は接着させるものである。
【００１９】
このようにして閉蓋させた本発明の刃物陳列用外装ケース１は素手で開封しようとしても開封することができず、開封は鋏等を用いて切断部を切断することによって開封できるものであり、切断部は溶着用フラップと裏面フラップ４ａとの基端辺の外側折曲線２ｄの近傍とするもので、鋏によって容易に切断できるものである。
【産業上の利用可能性】
【００２０】
従って、本発明の刃物陳列用外装ケースは、透明合成樹脂で形成された外装ケースの表面フラップに蓋フラップを延設し、蓋フラップに外側折曲線を介して溶着用フラップを延設して、溶着用フラップを外側に折曲させて裏面フラップの基端辺と溶着又は接着させたことによって、犯罪者が包丁等を取り出そうとしても素手では取り出すことができず、一方、一般のユーザーは透明合成樹脂の外装ケースを透して、内装ケースに固定収納された包丁等の刃物を吟味でき、現状の流通している外装ケースのコストを殆ど上げることなく、防犯上顕著な効果を有する刃物陳列用外装ケースを提供するものである。
【図面の簡単な説明】
【００２１】
【図１】図１は本発明の刃物陳列用外装ケースの実施例の閉蓋状態の斜視図である。
【図２】図２は本発明の刃物陳列用外装ケースの実施例の開口状態の側面図である。
【図３】図３は本発明の刃物陳列用外装ケースの実施例の閉蓋状態の側面図である。
【図４】図４は従来の刃物陳列用外装ケースの閉蓋状態の側面図である。
【符号の説明】
【００２２】
１      外装ケース
２      表面
２ａ    表面フラップ
２ｂ    内側折曲線
２ｃ    蓋フラップ
２ｄ    外側折曲線
２ｅ    溶着用フラップ
３      側面
３ａ    側面フラップ
３ｂ    内側折曲線
４      裏面
４ａ    裏面フラップ
４ｂ    吊り穴
Ａ      開口部
【図１】
2006223438.tif 000003
【図２】
2006223438.tif 000004
【図３】
2006223438.tif 000005
【図４】
2006223438.tif 000006